【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
記録媒体のデータ領域管理のためのデータ構造を有する記録媒体において、
前記記録媒体へのアクセスを管理する制御情報を含む少なくとも一つの制御領域であって、前記制御情報は、前記制御情報に固有の第１のタイプの情報を含むこと
を備えたことを特徴とする記録媒体。
【請求項２】
前記制御情報は、セグメントの数を示すセグメント数情報および前記セグメントの各々を識別するセグメントリストを有する第２のタイプの情報をさらに含み、セグメントは開始アドレスおよび終了アドレスによって定義されることを特徴とする請求項１に記載の記録媒体。
【請求項３】
前記制御情報は、識別情報をさらに含み、前記識別情報が認識可能なときは、前記第１のタイプの情報が前記記録媒体の領域へのアクセスを制御する固有の機能またはアプリケーションを実行することを特徴とする請求項１に記載の記録媒体。
【請求項４】
前記セグメントの数は、０から所定の数までの範囲であることを特徴とする請求項３に記載の記録媒体。
【請求項５】
前記第１のタイプの情報は、前記領域に対して利用可能な動作を示すデータビットを含むことを特徴とする請求項１に記載の記録媒体。
【請求項６】
前記データビットは、前記領域上で書き込み可能および／または再生可能であるかどうかを示すことを特徴とする請求項５に記載の記録媒体。
【請求項７】
前記制御情報は、前記第１のタイプの情報が使用されないときに使用される第２のタイプの情報を含むことができることを特徴とする請求項２に記載の記録媒体。
【請求項８】
前記制御情報の前記第２のタイプの情報は、前記記録媒体の記録および／または再生に用いられることを特徴とする請求項７に記載の記録媒体。
【請求項９】
前記第２のタイプの情報は、前記記録媒体の領域に対するアクセス制御情報を含むことを特徴とする請求項８に記載の記録媒体。
【請求項１０】
前記第２のタイプ情報は、前記セグメント数の各々のセグメントに対して利用可能な動作を示す、前記セグメントに対するデータビットを含むことを特徴とする請求項８に記載の記録媒体。
【請求項１１】
前記セグメントに対する前記データビットは、前記第２のタイプの情報の一部を形成することを特徴とする請求項１０に記載の記録媒体。
【請求項１２】
前記セグメント数が０である場合、前記データビットは、前記ユーザデータ領域に対して利用可能な動作を示すことを特徴とする請求項１０に記載の記録媒体。
【請求項１３】
前記利用可能な動作は、読み取りおよび／または書き込みを含むことを特徴とする請求項１２に記載の記録媒体。
【請求項１４】
前記データビットは、前記各セグメント内のデータが記録可能および／または再生可能であるかどうかを示すことを特徴とする請求項１０に記載の記録媒体。
【請求項１５】
前記セグメントは、互いに重複しないことを特徴とする請求項２に記載の記録媒体。
【請求項１６】
前記制御情報は、前記記録媒体のユーザデータ領域内のセグメントセットを識別するためのセグメントポインタを含むことを特徴とする請求項１に記載の記録媒体。
【請求項１７】
前記制御情報は、前記記録媒体のユーザデータ領域内における主セグメントセットのセグメント数を識別するための主セグメントセットポインタと、副セグメントセットのセグメント数を識別するための副セグメントセットポインタとを含むことを特徴とする請求項２に記載の記録媒体。
【請求項１８】
前記識別情報は、前記記録媒体の記録または再生を試みる装置にとって未知であることを特徴とする請求項１に記載の記録媒体。
【請求項１９】
前記制御情報は、第２のタイプの情報を含んでおり、前記第２のタイプの情報にしたがって前記装置によって処理されることを特徴とする請求項１８に記載の記録媒体。
【請求項２０】
記録媒体の記録または再生方法であって、
記録媒体の記録および／または再生を管理するための制御情報を含む少なくとも一つの制御領域を記録または再生するステップであって、前記制御情報は、第１のタイプの情報、識別情報、セグメント数情報、およびセグメントエントリーリストを含むことと、
前記識別情報が認識されず、前記セグメント数情報が前記記録媒体のユーザデータ領域内における少なくとも一つのセグメントを識別する場合は、前記記録媒体のユーザデータ領域において前記少なくとも１つのセグメントに記録および／または再生するステップと
を備えることを特徴とする方法。
【請求項２１】
前記識別情報が未知であり、前記セグメント数情報が前記記録媒体のユーザデータ領域内において０個のセグメントを示す場合、前記記録媒体の前記ユーザデータ領域全体に対して記録および／または再生を行うことを特徴とする請求項２０に記載の方法。
【請求項２２】
前記セグメント数情報は、０から所定の数までであることを特徴とする請求項２０に記載の方法。
【請求項２３】
記録媒体からの再生方法であって、
記録媒体のユーザデータ領域内のセグメント数をそれぞれ含む少なくとも一つの制御情報に基づいて、前記記録媒体に記録された前記ユーザデータ領域を再生するステップと、
前記セグメント数が０個を示す場合、前記ユーザデータ領域全体に対して前記再生するステップを実行し、そうでない場合、前記セグメントに対して前記再生するステップを実行することを特徴とする記録媒体の再生方法。
【請求項２４】
記録媒体の記録および／または再生をする装置であって、
記録媒体にデータを記録し、前記記録媒体からデータを再生するように光記録装置を駆動するドライバと、
制御情報を含む少なくとも一つの制御領域に基づいて前記データを記録または再生するように前記ドライバを制御するコントローラであって、前記制御情報は記録媒体の記録および／または再生を管理するための第１のタイプの情報、識別情報、セグメント数情報、およびセグメントエントリーリストを含み、前記コントローラは、前記識別情報が認識され、前記セグメント数情報が前記記録媒体のユーザデータ領域内における少なくとも一つのセグメントを識別する場合、前記ユーザデータ領域における前記セグメントに対して記録および／または再生を行うことと
を備えたことを特徴とする装置。
【請求項２５】
前記第１のタイプの情報が未知であって、前記セグメント数情報が前記記録媒体のユーザデータ領域内において０個のセグメントを示す場合、前記コントローラは、前記記録媒体の前記ユーザデータ領域全体に対して記録および／または再生を行うことを特徴とする請求項２４に記載の装置。
【請求項２６】
前記セグメント数情報は、０から所定の数までであることを特徴とする請求項２４に記載の装置。
【請求項２７】
記録媒体の記録および／または再生をする装置であって、
記録媒体からデータを再生するように光記録装置を駆動するドライバと、
制御情報を含む少なくとも一つの制御領域に基づいて前記データを再生するように前記ドライバを制御するコントローラであって、前記制御情報は、記録媒体の記録および／または再生を管理するための情報、セグメント数情報、およびセグメントエントリーリストを含み、前記コントローラは、前記記録媒体に記録されたユーザデータ領域内のセグメント数を含む前記制御情報に基づいて、前記記録媒体に記録された前記ユーザデータ領域を再生し、前記セグメント数が０を示す場合、前記ユーザデータ領域全体に対して再生を行い、前記セグメント数が０を示してない場合、前記セグメント数の各セグメントに対して再生を行うことと
を備えたことを特徴とする装置。
【手続補正２】
【補正対象書類名】明細書
【補正対象項目名】００６４
【補正方法】変更
【補正の内容】
【００６４】
図１０に示すように、割り当てられたセグメントは、８バイトエントリーで表現され、セグメント領域の最初の物理的セクタ番号の大きさは３２ビット、最後の物理的セクタ番号の大きさは３２ビットである。したがって、光ディスクドライブは、記録されたＰＡＣのセグメント情報を通して、割り当てられたセグメントに対する位置情報を得ることができる。
【手続補正３】
【補正対象書類名】明細書
【補正対象項目名】００７１
【補正方法】変更
【補正の内容】
【００７１】
したがって、光ディスクドライブは、”Ｓｔａｔｕｓ１”および”Ｓｔａｔｕｓ２”フィールドを通して関連するセグメント領域に対するアクセス可能可否を確認することで、関連するセグメント領域に対する不要なアクセス動作を減少させることができる。そして、複数のセグメント領域が割り当てられた場合において、各セグメント別にアクセス可能性を制御できるようになる。
【手続補正４】
【補正対象書類名】明細書
【補正対象項目名】００７２
【補正方法】変更
【補正の内容】
【００７２】
この場合、”Ｓｔａｔｕｓ２”フィールドは、将来のために指定が予約されたフィールドであって、現在用いられてはいない。例えば、”Ｓｔａｔｕｓ２”フィールドは”００００”ビットで記録される。    
セグメント領域が割り当てられた場合、このような各セグメント領域に対する制御は、”未知のＰＡＣ規則”フィールドの”データゾーン”フィールドで定義したセグメント領域に対する制御可能性と互いに一致しなくなる。